(57)【特許請求の範囲】
【請求項１】
高周波電磁波の発生源を有すると共に、記録媒体に対して情報を光学的に記録又は再生するピックアップにおいて、
発生される前記高周波電磁波を電気的に遮蔽し、前記ピックアップに対する取り付け用の開口部を有し且つ前記発生源を内包するように取り付けられた電気的シールド手段と、
発生される前記高周波電磁波を磁気的に遮蔽し、前記電気的シールド手段を内包し且つ前記開口部を覆うように取り付けられた磁気的シールド手段と、
前記発生源、前記電気的シールド手段及び前記磁気的シールド手段を搭載するフレームと、
を備えることを特徴とするピックアップ。
【請求項２】
請求項１に記載のピックアップにおいて、
前記情報の記録再生に用いられる光源を駆動する駆動手段を更に備え、
前記磁気的シールド手段は、当該駆動手段収納用の開口部を備えることを特徴とするピックアップ。
【発明の詳細な説明】
【０００１】
【発明の属する技術分野】
本発明は、発生する高周波電磁波が外部に漏洩することを防止するためのシールド部材を有するピックアップであって、記録媒体に対して情報を光学的に記録再生するためのピックアップの技術的分野に属する。
【０００２】
【従来の技術】
従来、いわゆるＣＤ（Compact  Disk）プレーヤやＭＤ（Mini  Disk）プレーヤにおいては、光ビームを出射することにより記録媒体としての光ディスクに対して情報を記録再生するための光学的なピックアップが用いられている。
【０００３】
ここで、上記ピックアップにおいては、例えば４００メガヘルツ以上の高周波を扱う回路を有している場合が多いため、この回路から発せられる電磁波を遮蔽して外部に漏洩させないようにする必要がある。
【０００４】
このとき、上記高周波電磁波の遮蔽のために、従来は、例えば銅合金により形成された電気的なシールド部材を用いるか、又は所定の磁性材により形成された磁気的なシールド部材を用いるかのいずれか一方のみである場合が多かった。
【０００５】
一方、上記ピックアップには、それ自体が例えば上記光ディスクの半径方向に移動しつつ情報の記録再生を実行するものであるため、当該ピックアップと外部の電源回路又は駆動回路等とを接続するための可撓性の接続線が設けられているのが一般的である。
【０００６】
このとき、当該接続線は、ピックアップの移動に伴って変形しつつ上記電源回路等とピックアップとを接続している。
【０００７】
そして、従来のピックアップでは、この接続線の変形（ピックアップの移動に伴う変形）が当該ピックアップの移動自体の妨げとならないように、例えば、接続線を両面テープでピックアップ内の所定の位置に貼り付けて固定する等の処理が施されているのが一般的であった。
【０００８】
【発明が解決しようとする課題】
しかしながら、上述したように、電気的なシールド部材又は磁気的なシールド部材のいずれか一方では高周波電磁波を効果的に遮蔽できない場合があるという問題点があった。
【０００９】
そこで、従来では、電気的なシールド部材又は磁気的なシールド部材で高周波電磁波の発生源を覆うと共に、組み上げられたピックアップを含む機構全体（光ディスク搬送機構及び各サーボ制御機構を含む光ディスク再生機構等を全て含む機構全体）を更に電気的なシールドケース内に収めて当該高周波電磁波の外部への漏洩を防止していたが、この場合には、大型のシールドケースが必要となるため、ピックアップ全体が高価となると共にやはり効果的な高周波電磁波の遮蔽ができない場合があるという問題点があった。
【００１０】
一方、接続線の形状の固定については、上述したような両面テープによる固定だと、当該両面テープの経時変化により接続線の固定が不十分となって、ピックアップの移動に対して接続線が妨げになってしまう場合があると共に、別個独立の部材により接続線を固定するので、ピックアップ自体の部品点数が多くなってしまうという問題点もあった。
【００１１】
そこで、本発明は、上記の各問題点に鑑みて為されたもので、その課題は、発生する高周波電磁波を効果的に遮蔽できると共に、接続線の形状を所定の一定形状に保持してピックアップをスムーズに移動させることが可能なピックアップを提供することにある。
【００１２】
【課題を解決するための手段】
上記の課題を解決するために、請求項１に記載の発明は、高周波電磁波の発生源を有すると共に、記録媒体に対して情報を光学的に記録又は再生するピックアップにおいて、発生される前記高周波電磁波を電気的に遮蔽し、前記ピックアップに対する取り付け用の開口部を有し且つ前記発生源を内包するように取り付けられた電気的シール手段と、発生される前記高周波電磁波を磁気的に遮蔽し、前記電気的シールド手段を内包し且つ前記開口部を覆うように取り付けられた磁気的シールド手段と、前記発生源、前記電気的シールド手段及び前記磁気的シールド手段を搭載するフレームと、を備える。
【００２７】
【発明の実施の形態】
次に、本発明に好適な実施の形態について図面に基づいて説明する。なお、以下に説明する実施の形態は、上述したＣＤ又はＭＤ、或いは当該ＣＤよりも記憶容量を約７倍向上させた光ディスクであるＤＶＤ等に対して情報を記録再生するための光ビームを出射すると共にその反射光を受光して各光ディスクに記録されている情報に対応する検出信号等を出力する光学式のピックアップに対して本発明を適用した場合の実施の形態である。
【００２８】
（Ｉ）ピックアップの実施形態
始めに、本発明に係る静電シールドケース及び磁気シールドケースが備えられるピックアップの全体構成について、図１乃至図５を用いて説明する。
【００２９】
先ず、本発明に係る静電シールドケースのみを備えたピックアップの全体構成について、図１及び図２を用いて説明する。
【００３０】
なお、図１は静電シールドケースのみを備えたピックアップの平面図であり、図２は図１中Ａ方向から当該ピックアップを見た正面図である。
【００３１】
図１及び図２に示すように、実施形態に係るピックアップＳは、フレーム２１上に、フォーカスサーボ制御及びトラッキングサーボ制御のためのアクチュエータアーム１８を介して対物レンズ１７が備えられて構成されている。
【００３２】
また、フレーム２１は、図２の紙面に垂直な回転軸２３を中心として回転可能に固定部２２に連結されており、この固定部２２が図示しないキャリッジ（ピックアップＳ全体を光ディスクＤＫの半径方向に移動させるためのキャリッジ）に固定されている。この構造により、対物レンズ１７と光ディスクＤＫとの距離を可変としつつピックアップＳ全体が移動可能となっている。
【００３３】
そして、光ディスクＤＫに対する情報の記録再生時には、図示しない半導体レーザにおいて生成されたレーザ光等の光ビームが、対物レンズ１７から出射され、図１中手前側（図２参照）に配置される当該光ディスクＤＫに照射されると共に、その光ディスクＤＫからの反射光が再び対物レンズ１７に入射して当該光ディスクＤＫ上に記録されている情報が検出される。
【００３４】
一方、ピックアップＳは、半導体レーザに上記光ビームを発生させるための発生信号に対して、光ディスクＤＫからの不要な戻り光を抑制するための高周波信号を重畳する発生源及び高周波重畳手段としての高周波重畳回路１９を備えている。
【００３５】
この高周波重畳回路１９によって重畳される高周波信号としては、例えば、４５０メガヘルツ程度の周波数を有するパルス信号が用いられる。
【００３６】
そして、図１及び図２に示すピックアップＳでは、この高周波重畳回路１９を覆うように、当該高周波重畳回路１９から発生される高周波電磁波の外部への漏洩を電気的に遮蔽する電気的シールド手段としての静電シールドケース２０を備えている。
【００３７】
この静電シールドケース２０は、高周波重畳回路１９を覆う形で形成されているものであり、その材質は、例えば、黄銅板の表面にニッケルメッキを施した薄板を折り曲げて形成されている。
【００３８】
但し、当該静電シールドケース２０においては、その取り付けの便宜上、図１中左側面が開口しており、その面においては、高周波重畳回路１９が外部に露出している。
【００３９】
また、ピックアップＳでは、高周波重畳回路１９に隣接するようにドライバＩＣ（Integrated  Circuit）２４を備えている。このドライバＩＣ２４は光ディスクＤＫに照射する上記光ビームの光源としての半導体レーザを駆動するためのものである。
【００４０】
一方、ピックアップＳには、外部から当該ピックアップＳに対して電源電圧又は情報の記録再生用の基準クロック信号等を供給するための端子板１６及び接続線としてのフレキシブル基板１５が接続されている。
【００４１】
ここで、図１及び図２に示すピックアップＳは、光ディスクＤＫに対する情報の記録再生時においては、その全体が光ディスクＤＫの半径方向に移動しつつ記録再生を行うが、上述した端子板１６が記録再生装置の筐体に固定されると共に、フレキシブル基板１５が可撓性を有していることから、当該ピックアップＳが移動した場合にも、フレキシブル基板１５が変形することにより、引き続きピックアップＳに対して電源電圧又は情報の記録再生用の基準クロック信号等が供給され続けることとなる。
【００４２】
次に、上記静電シールドケース２０と本発明に係る磁気シールドケースの双方を備えた場合のピックアップの全体構成について、図３乃至図５を用いて説明する。
【００４３】
なお、図３は静電シールドケース２０及び磁気シールドケースを備えたピックアップＳの平面図であり、図４は図３中Ａ方向から見た当該ピックアップＳの正面図であり、図５は図３中Ｂ方向から見た当該ピックアップＳの側面図である。
【００４４】
図３乃至図５に示すように、実施形態のピックアップＳは、上述した静電シールドケース２０を更に覆うと共に、フレキシブル基板１５を押さえつけてこれを一定形状に保持する保持部材としての固定部１０を備えた磁気的シールド手段としての磁気シールドケース１を更に備えている。
【００４５】
このとき、磁気シールドケース１は、ブリキ板を折り曲げて形成されており、静電シールドケース２０の上述した開口部をも覆うように形成され、その開口部を覆う部分の一部に一体的にフレキシブル基板１５を押さえつけるように形成された上記固定部１０を備えている。
【００４６】
すなわち、図５に示すように、固定部１０は、フレキシブル基板１５を下方に押さえつけるようにしてこれを一定形状に保持するためのものであり、この固定部１０によりフレキシブル基板１５のピックアップＳに対する接続角度がほぼ一定角度に保たれ、これにより、フレキシブル基板１５が変形することによりピックアップＳの移動の障害になることがない。
【００４７】
また、磁気シールドケース１は、ビス２５によりフレーム２１に固定されている。
【００４８】
（II）磁気シールドケースの実施形態
次に、当該磁気シールドケース１の細部構造について、図６乃至図１２を用いて詳説する。
【００４９】
なお、図６は磁気シールドケース１の全体構造を示す外観斜視図であり、図７は磁気シールドケース１を図６中Ａ方向から見た平面図であり、図８（ａ）は磁気シールドケース１を図６中Ｃ方向から見た正面図であり、図８（ｂ）は磁気シールドケース１の一部を図６中Ｂ方向から見た右側面図であり、図９は磁気シールドケース１を図６中Ｄ方向から見た下面図であり、図１０は磁気シールドケース１を図６中Ｅ方向から見た左側面図であり、図１１は磁気シールドケース１の図７中Ｂ−Ｂ’断面図であり、図１２は磁気シールドケース１の図７中Ａ−Ａ’断面図である。
【００５０】
図１に示すように、磁気シールドケース１は、その全体がブリキの薄板を折り曲げて形成されており、上記静電シールドケース２０を覆って高周波電磁波の外部への漏洩を磁気的に遮蔽する上面部４と、背面部１１と、フラップ６、７及び８が折れ曲がることにより形成される左側面部と、下面部１２と、を備えている。
【００５１】
このとき、上面部４に対応する右側面及び背面部１１に対向する面は、図８（ｂ）、図９、図１０及び図１２に示すように磁気シールドケース１のピックアップＳへの取り付けの都合上開口されている。
【００５２】
更に、磁気シールドケース１は、ドライバＩＣ２４が収納される開口部２を有すると共に静電シールドケース２０における上記開口部を塞ぐための閉塞部５を備えており、この閉塞部５に一体的に上記フレキシブル基板１５の形状を固定するための上記固定部１０が形成されている。
【００５３】
このとき、上面部４と閉塞部５とは面一ではなく、図１０に示すように、屈曲線２６を境に上面部４に対して閉塞部５が折れ曲がるように形成されている。これにより、静電シールドケース２０における上記開口部が閉塞され、高調波重畳回路１９が外部に露出することはない。
【００５４】
また、固定部１０は、図１１に示すように、閉塞部５を延長しその先端を外側に曲面を形成するように曲げることにより形成されている。
【００５５】
更に、下面部１２には、磁気シールドケース１をフレーム２１に固定するための固定部３が一体的に形成されており、この固定部３に上記ビス２５（図４又は図５参照）が貫通する孔９が開口されている。
【００５６】
以上説明したように、実施形態のピックアップＳでは、電気的及び磁気的に高周波電磁波を遮蔽するので、外部に対して効果的に高周波電磁波を遮蔽することができる。
【００５７】
また、磁気シールドケース１に一体的に備えられた固定部１０がフレキシブル基板１５の形状を一定形状に保持するので、ピックアップＳ全体が移動する際等に当該フレキシブル基板１５がその移動に支障を来すことを防止できると共に、固定部１０が一体的に磁気シールドケース１に形成されているので、ピックアップＳを小型化且つ簡素化することができる。
【００５８】
更に、磁気シールドケース１が高周波重畳回路１９と外部との間の開口部を塞ぐ形状を有しているので、高周波信号に起因する高周波電磁波を更に効果的に遮蔽することができる。
【００５９】
更にまた、静電シールドケース２０がニッケルメッキを施した黄銅板により形成されていると共に、磁気シールドケース１がブリキ板により形成されているので、簡便な構造で効果的に高周波電磁波を遮蔽することができる。
【００６０】
なお、上述の実施形態では、磁気シールドケース１をニッケルメッキを施した黄銅板により形成したが、これ以外に磁気シールドケース１の材質としては、上述したブリキの他に、パーマロイ板、珪素鋼板、ニッケル板又はパーメンデュール板等を用いることができ、これらの薄板に対して錆止め用の錫メッキ又は亜鉛メッキを施した物を折り曲げて磁気シールドケース１とすることができる。
【００６１】
また、上述の実施形態では、フレキシブル基板１５を一定形状に保持するための固定部１０を磁気シールドケース１に備えるように構成したが、これ以外に静電シールドケース２０に当該保持部を一体的に形成するようにしてもよい。
【００６２】
更に、上記閉塞部５に代えて、高周波重畳回路１９に対する開口部を塞ぐための閉塞部を静電シールドケース２０に形成してもよい。
【図面の簡単な説明】
【図１】静電シールドケースのみを備えたピックアップの平面図である。
【図２】図１中Ａ方向からピックアップを見た正面図である。
【図３】静電シールドケース及び磁気シールドケースを備えたピックアップの平面図である。
【図４】図３中Ａ方向から見たピックアップの正面図である。
【図５】図３中Ｂ方向から見たピックアップの側面図である。
【図６】磁気シールドケースの全体構造を示す外観斜視図である。
【図７】磁気シールドケースを図６中Ａ方向から見た平面図である。
【図８】磁気シールドケースを示す図であり、（ａ）は磁気シールドケースを図６中Ｃ方向から見た正面図であり、（ｂ）は磁気シールドケースの一部を図６中Ｂ方向から見た右側面図である。
【図９】磁気シールドケースを図６中Ｄ方向から見た下面図である。
【図１０】磁気シールドケースを図６中Ｅ方向から見た左側面図である。
【図１１】磁気シールドケースの図７中Ｂ−Ｂ’断面図である。
【図１２】磁気シールドケースの図７中Ａ−Ａ’断面図である。
【符号の説明】
１…磁気シールドケース
２…開口部
３、１０、２２…固定部
４…上面部
５…閉塞部
６、７、８…フラップ
９…孔
１１…背面部
１２…下面部
１５…フレキシブル基板
１６…端子
１７…対物レンズ
１８…アクチュエータアーム
１９…高周波重畳回路
２０…静電シールドケース
２１…フレーム
２３…回転軸
２４…ドライバＩＣ
２５…ビス
２６…境界線
Ｓ…ピックアップ
【図１】
0003724947.tif 000002
【図２】
0003724947.tif 000003
【図３】
0003724947.tif 000004
【図４】
0003724947.tif 000005
【図５】
0003724947.tif 000006
【図６】
0003724947.tif 000007
【図７】
0003724947.tif 000008
【図８】
0003724947.tif 000009
【図９】
0003724947.tif 000010
【図１０】
0003724947.tif 000011
【図１１】
0003724947.tif 000012
【図１２】
0003724947.tif 000013